(57)【要約】【課題】コンテナ輸出入の作業のスケジュールを管理し、効率的な作業を行うことを容易にするコンテナ輸出入管理装置を提供する。【解決手段】過去の輸出入作業の実績データを記録している記録部１１と、荷主から１個又は複数のコンテナ毎に輸出入作業に関する作業情報の入力を受け付ける受け付け部１２と、記録された実績データから、受け付けられた情報に含まれる荷物の種類に対応する実績データを抽出し、抽出した実績データに基づいて予定作業日程を生成する作業日程生成部１３、スケジュール表作成部１７と、スケジュール表を各端末に提示させる提示部１８とを備え、受け付け部１２は、さらに、各端末により、荷主、海貨業者、コンテナヤードオペレータ及び船会社のそれぞれから輸出入作業の進捗状況の入力を受け付け、提示部１８は、さらに、スケジュール表と共に進捗状況を提示させる。【選択図】　図１
2004123347.tif 000002
【特許請求の範囲】
【請求項１】
港湾運輸におけるコンテナ輸出入の作業を管理するコンテナ輸出入管理装置であって、
過去の輸出入作業の荷物の種類、及び、実績作業日程を含む実績データを記録している記録手段と、
荷主から、１個又は複数のコンテナ毎に、荷物の種類を含む輸出入作業に関する作業情報の入力を受け付ける受け付け手段と、
記録手段により記録された実績データから、受け付け手段により受け付けられた作業情報に含まれる荷物の種類に対応する実績データを抽出し、抽出した実績データに基づいて、予定作業日程表を生成する作業日程表生成手段と、
荷主、海貨業者、及び、船会社のそれぞれの元に設置された端末に、生成された予定作業日程表を提示させるべく、当該予定作業日程表のデータを送信する提示手段とを備え、
前記受け付け手段は、さらに、
前記各端末により、荷主、海貨業者、コンテナヤードオペレータ、及び、船会社のそれぞれから、輸出入作業の進捗状況のデータ入力を受け付け、
前記提示手段は、さらに、
前記各端末に予定作業日程表のデータを送信する際に、進捗状況を予定作業日程表と共に提示させるべく、当該進捗状況のデータを予定作業日程表のデータと関連付けて送付すること
を特徴とするコンテナ輸出入管理装置。
【請求項２】
前記受け付け手段が入力を受け付ける作業情報は、荷主に対応する荷主識別子、荷主が指定する海貨業者に対応する海貨業者識別子、及び、荷主が指定する船会社に対応する船会社識別子を含み、
前記作業日程表生成手段は、生成した予定作業日程表毎に、受け付け手段により受け付けられた作業情報に含まれる荷主識別子、海貨業者識別子、及び、船会社識別子を添付し、
前記提示手段は、
荷主毎に、当該荷主に対応する荷主識別子が添付された予定作業日程表のデータのみを送信し、
海貨業者毎に、当該海貨業者に対応する海貨業者識別子が添付された予定作業日程表のデータのみを送信し、
船会社毎に、当該船会社に対応する船会社識別子が添付された予定作業日程表のデータのみを送信すること
を特徴とする請求項１に記載のコンテナ輸出入管理装置。
【請求項３】
前記受け付け手段は、さらに、
海貨業者から、海貨業者が指定する運送会社に対応する運送会社識別子の入力を受け付け、
前記作業日程表生成手段は、生成した予定作業日程表毎に、受け付け手段により受け付けられた運送会社識別子を添付し、
前記提示手段は、さらに、
運送会社の元に設置された端末に、生成された予定作業日程表を提示させるべく、運送会社毎に、当該運送会社に対応する運送会社が添付された予定作業日程表のデータのみを送信し、
前記受け付け手段は、さらに、
前記運送会社の元に設置された端末により、運送会社から、輸出入作業における運送作業の進捗状況のデータ入力を受け付けること
を特徴とする請求項２に記載のコンテナ輸出入管理装置。
【請求項４】
前記記録手段が記録している実績データは、荷物の数量を含み、
前記受け付け手段が入力を受け付ける作業情報は、荷物の数量を含み、
前記作業日程表生成手段は、抽出した実績データの実績作業日程に、受け付けられた作業情報に含まれる数量による補正を施して、予定作業日程表を生成すること
を特徴とする請求項１に記載のコンテナ輸出入管理装置。
【請求項５】
前記受け付け手段は、さらに、
前記各端末から、前記予定作業日程を変更する変更指示を受け付け、
前記コンテナ輸出入管理装置は、さらに、
受け付けられた変更指示に従って、前記予定作業日程を変更する作業日程変更手段を備えること
を特徴とする請求項１に記載のコンテナ輸出入管理装置。
【請求項６】
前記実績データは、
複数の作業項目、作業項目毎の実績日、及び、作業項目毎の処理の作業順位を含み、
前記受け付け手段が受け付ける変更指示は、
所定の作業項目の予定日を変更するか、又は、所定の作業項目において予定日と異なる日付の実績日を登録するものであり、
前記作業日程変更手段は、
変更指示がなされた所定の作業項目よりも作業順位が低い作業項目の全ての予定日を、作業順位が高い順に、変更指示による変更日数分だけ変更すること
を特徴とする請求項５に記載のコンテナ輸出入管理装置。
【請求項７】
前記受け付け手段は、さらに、
入力端末からの、コンテナ番号の入力、及び、シール番号の入力、及び、コンテナへのバン積め日時情報を受け付け、
前記コンテナ輸出入管理装置は、さらに、
受け付けられた作業情報、コンテナ番号、シール番号、及び、コンテナへのバン積め日時情報に基づいて、これらの情報を記載に含むコンテナ受取証を作成する受取証作成手段を備え、
前記提示手段は、さらに、
コンテナ番号、シール番号、及び、コンテナへのバン積め日時情報を、予定作業日程表のデータと関連付けて送付すること
を特徴とする請求項１に記載のコンテナ輸出入管理装置。
【請求項８】
前記記録手段は、さらに、
作業項目毎にそれぞれの処理に関する詳細データを記録し、
前記受け付け手段は、さらに、
前記各端末のいずれかから、作業項目の指定を受け付け、
前記提示手段は、さらに、
指定された作業項目の詳細データを、前記記録手段から読み出して返信すること
を特徴とする請求項１に記載のコンテナ輸出入管理装置。
【請求項９】
前記コンテナ輸出入管理装置は、さらに、
マークを付けられた作業項目、次に処理すべき作業項目、又は、予定日を過ぎても実施日が入力されていない作業項目のリストを生成するリスト生成手段を備え、
前記提示手段は、さらに、
前記各端末へ、リスト生成手段により生成されたリストをへ提示させるべく、当該リストのデータを送信すること
を特徴とする請求項１に記載のコンテナ輸出入管理装置。
【請求項１０】
港湾運輸におけるコンテナ輸出入の作業を管理する、コンピュータを用いて構築されたコンテナ輸出入管理装置において、
前記コンテナ輸出入管理装置は、
過去の輸出入作業の荷物の種類、及び、実績作業日程を含む実績データを記録している記録手段を備え、
前記コンピュータを、
荷主から、１個又は複数のコンテナ毎に、荷物の種類を含む輸出入作業に関する作業情報の入力を受け付ける受け付け手段と、
記録手段により記録された実績データから、受け付け手段により受け付けられた作業情報に含まれる荷物の種類に対応する実績データを抽出し、抽出した実績データに基づいて、予定作業日程表を生成する作業日程表生成手段と、
荷主、海貨業者、及び、船会社のそれぞれの元に設置された端末に、生成された予定作業日程表を提示させるべく、当該予定作業日程表のデータを送信する提示手段として機能させ、
前記受け付け手段は、さらに、
前記各端末により、荷主、海貨業者、コンテナヤードオペレータ、及び、船会社のそれぞれから、輸出入作業の進捗状況のデータ入力を受け付け、
前記提示手段は、さらに、
前記各端末に予定作業日程表のデータを送信する際に、進捗状況を予定作業日程表と共に提示させるべく、当該進捗状況のデータを予定作業日程表のデータと関連付けて送付すること
を特徴とするコンテナ輸出入管理プログラム。
【請求項１１】
港湾運輸におけるコンテナ輸出入の作業を管理するコンテナ輸出入管理装置におけるコンテナ輸出入管理方法であって、
前記コンテナ輸出入管理装置は、
過去の輸出入作業の荷物の種類、及び、実績作業日程を含む実績データを記録している記録手段を備え、
当該コンテナ輸出入管理方法は、
荷主から、１個又は複数のコンテナ毎に、荷物の種類を含む輸出入作業に関する作業情報の入力を受け付ける受け付け手段と、
記録手段により記録された実績データから、受け付け手段により受け付けられた作業情報に含まれる荷物の種類に対応する実績データを抽出し、抽出した実績データに基づいて、予定作業日程表を生成する作業日程表生成手段と、
荷主、海貨業者、及び、船会社のそれぞれの元に設置された端末に、生成された予定作業日程表を提示させるべく、当該予定作業日程表のデータを送信する提示手段とを含み、
前記受け付け手段は、さらに、
前記各端末により、荷主、海貨業者、コンテナヤードオペレータ、及び、船会社のそれぞれから、輸出入作業の進捗状況のデータ入力を受け付け、
前記提示手段は、さらに、
前記各端末に予定作業日程表のデータを送信する際に、進捗状況を予定作業日程表と共に提示させるべく、当該進捗状況のデータを予定作業日程表のデータと関連付けて送付すること
を特徴とするコンテナ輸出入管理方法。
【発明の詳細な説明】
【０００１】
【発明の属する技術分野】
本発明は、港湾運輸におけるコンテナ輸出入の作業を効率的に管理するコンテナ輸出入管理装置、プログラム及び方法に関する。
【０００２】
【従来の技術】
現在、電化製品、電気機器、機械等の海外貿易においては、定期船によるコンテナ輸出入が大半を占めている。
コンテナ輸出入の作業には、荷主、海貨業者、陸運業者、船会社等の複数の業者が携わっており、各業者間において、各種書類のやり取りにより作業が連動して行われている。
【０００３】
以下に、コンテナ輸出の手順について簡単に説明する。
まず各荷主が、荷物の明細等を記載した送り状にあたるインボイス（Ｉｎｖｏｉｃｅ：略記「Ｉ／Ｖ」）、荷姿等を記載したパッキングリスト（Ｐａｃｋｉｎｇ　Ｌｉｓｔ：略記「Ｐ／Ｌ」）及び各種運送情報等を記載したシッピングインストラクション（Ｓｈｉｐｐｉｎｇ　Ｉｎｓｔｒｕｃｔｉｏｎ：略記「Ｓ／Ｉ」）を、１個又は複数のコンテナ毎に作成し、海貨業者に送付する。
【０００４】
次に、海貨業者が各荷主から荷と共にＩ／Ｖ、Ｐ／Ｌ及びＳ／Ｌを受け取り、これらの書類に基づいて、船単位の各種運送情報等を記載したドックレシート（Ｄｏｃｋ　Ｒｅｃｅｉｐｔ：略記「Ｄ／Ｒ」）を作成し、コンテナと共に船会社に送付する。
次に、船会社が海貨業者から荷と共にＤ／Ｒを受け取り、この書類に基づいて、有価証券であるビル　オブ　レィディング（Ｂｉｌｌ　ｏｆ　Ｌａｄｉｎｇ：略記「Ｂ／Ｌ」）、又は、有価証券ではないがＢ／Ｌに準ずるウェイビル（Ｗａｙ　Ｂｉｌｌ：略記「Ｗ／Ｂ」）等の受取証を、１個又は複数のコンテナ毎に作成して荷主に送付し、コンテナの方は船積みして最終的に受取人の元へ届ける。
【０００５】
受取人は、荷主からＢ／Ｌ又はＷ／Ｂを、金銭を支払う等と引き替えに入手し、海外においてこの書類により受取人であることの正当性を示して、コンテナを受け取る。
コンテナ輸入の場合には、船会社が発行するアライバル　ノーティス（Ａｒｒｉｖａｌ　Ｎｏｔｉｃｅ：略記「Ａ／Ｎ」）により入港日が確定し、輸入側荷主はＢ／ＬとＡ／Ｎとを基本情報とし、海貨業者が、船会社への運賃支払い、通関指示、コンテナ搬出、コンテナ輸送を行い、空コンテナを返却する。
【０００６】
このように、コンテナ輸出入では、各業者において前工程の業者から受け取った書類に基づいて自工程の書類を作成してこの書類に基づいて作業している。
【０００７】
【発明が解決しようとする課題】
しかしながら、上述したような書類ベースによる逐次処理では、前工程の業者の処理が完結し書類を受け取るまでは他業者の進捗状況が得られず、前もってスケジュールを調整したり、前工程のスケジュール変更に対応して自工程のスケジュールを変更することが容易にはできないので、効率的な作業を行うことが難かしい。
【０００８】
また、各業者において作業の進捗状況を確認する場合、業者毎に作業を管理する単位が異なるので、たとえ他業者の進捗状況を得られたとしても、求める単位で全体の進捗状況を確認するためには、他業者が作成した書類と自ら作成した書類とを照合して管理する単位の読み替えを行わなければならず、敏速に全体の進捗状況を得ることは難しい。
【０００９】
例えば、荷主においては荷物単位で進捗状況を確認する必要があるが、各荷主が自らの全Ｉ／ＶについてＩ／Ｖ単位で作業の進捗状況を管理し、各海貨業者と各陸運業者とが自社扱いの全コンテナについてコンテナ単位で進捗状況を管理し、各船会社が自社の全船について船単位で進捗状況を管理しているので、ある荷主が敏速に目的とする荷物の全体の進捗状況を得ることは非常に難しい。
【００１０】
本発明は、各業者において、前工程の業者の処理が完結しなくても、他業者の進捗状況が得られ、前もってスケジュールを調整したり、前工程のスケジュール変更に対応して自工程のスケジュールを変更することができ、効率的な作業を行うことを容易にするコンテナ輸出入管理装置、プログラム及び方法を提供することを目的とする。
【００１１】
【課題を解決するための手段】
上記目的を達成するために、本発明に係るコンテナ輸出入管理装置は、港湾運輸におけるコンテナ輸出入の作業を管理するコンテナ輸出入管理装置であって、過去の輸出入作業の荷物の種類、及び、実績作業日程を含む実績データを記録している記録手段と、荷主から１個又は複数のコンテナ毎に荷物の種類を含む輸出入作業に関する作業情報の入力を受け付ける受け付け手段と、記録手段により記録された実績データから受け付け手段により受け付けられた作業情報に含まれる荷物の種類に対応する実績データを抽出し抽出した実績データに基づいて予定作業日程表を生成する作業日程表生成手段と、荷主、海貨業者、及び、船会社のそれぞれの元に設置された端末に生成された予定作業日程表を提示させるべく当該予定作業日程表のデータを送信する提示手段とを備え、前記受け付け手段は、さらに、前記各端末により、荷主、海貨業者、コンテナヤードオペレータ、及び、船会社のそれぞれから輸出入作業の進捗状況のデータ入力を受け付け、前記提示手段は、さらに、前記各端末に予定作業日程表のデータを送信する際に進捗状況を予定作業日程表と共に提示させるべく当該進捗状況のデータを予定作業日程表のデータと関連付けて送付することを特徴とする。
【００１２】
上記目的を達成するために、港湾運輸におけるコンテナ輸出入の作業を管理するコンピュータを用いて構築されたコンテナ輸出入管理装置において、前記コンテナ輸出入管理装置は過去の輸出入作業の荷物の種類、及び、実績作業日程を含む実績データを記録している記録手段を備え、本発明に係るコンテナ輸出入管理プログラムは、前記コンピュータを、荷主から１個又は複数のコンテナ毎に荷物の種類を含む輸出入作業に関する作業情報の入力を受け付ける受け付け手段と、記録手段により記録された実績データから受け付け手段により受け付けられた作業情報に含まれる荷物の種類に対応する実績データを抽出し抽出した実績データに基づいて予定作業日程表を生成する作業日程表生成手段と、荷主、海貨業者、及び、船会社のそれぞれの元に設置された端末に生成された予定作業日程表を提示させるべく当該予定作業日程表のデータを送信する提示手段として機能させ、前記受け付け手段は、さらに、前記各端末により、荷主、海貨業者、コンテナヤードオペレータ、及び、船会社のそれぞれから輸出入作業の進捗状況のデータ入力を受け付け、前記提示手段は、さらに、前記各端末に予定作業日程表のデータを送信する際に進捗状況を予定作業日程表と共に提示させるべく当該進捗状況のデータを予定作業日程表のデータと関連付けて送付することを特徴とする。
【００１３】
上記目的を達成するために、本発明に係るコンテナ輸出入管理方法は、港湾運輸におけるコンテナ輸出入の作業を管理するコンテナ輸出入管理装置におけるコンテナ輸出入管理方法であって、前記コンテナ輸出入管理装置は、過去の輸出入作業の荷物の種類、及び、実績作業日程を含む実績データを記録している記録手段を備え、当該コンテナ輸出入管理方法は、荷主から１個又は複数のコンテナ毎に荷物の種類を含む輸出入作業に関する作業情報の入力を受け付ける受け付け手段と、記録手段により記録された実績データから受け付け手段により受け付けられた作業情報に含まれる荷物の種類に対応する実績データを抽出し抽出した実績データに基づいて予定作業日程表を生成する作業日程表生成手段と、荷主、海貨業者、及び、船会社のそれぞれの元に設置された端末に生成された予定作業日程表を提示させるべく当該予定作業日程表のデータを送信する提示手段とを含み、前記受け付け手段は、さらに、前記各端末により、荷主、海貨業者、コンテナヤードオペレータ、及び、船会社のそれぞれから輸出入作業の進捗状況のデータ入力を受け付け、前記提示手段は、さらに、前記各端末に予定作業日程表のデータを送信する際に進捗状況を予定作業日程表と共に提示させるべく当該進捗状況のデータを予定作業日程表のデータと関連付けて送付することを特徴とする。
【００１４】
これらによって、荷主、海貨業者、及び、船会社のそれぞれが、作業開始直後から、それぞれの元に設置された端末を用いて予定作業日程表を参照することができ、また、荷主、海貨業者、コンテナヤードオペレータ、及び、船会社のそれぞれが進捗状況を入力することにより、予定作業日程表と共に進捗状況を参照することができる。
【００１５】
従って、各業者において、前工程の業者の処理が完結しなくても、他業者の進捗状況が得られ、前もってスケジュールを調整したり、前工程のスケジュール変更に対応して自工程のスケジュールを変更することができ、効率的な作業を行うことが容易となる。
【００１６】
【発明の実施の形態】
＜概要＞
本発明の実施の形態に係るコンテナ輸出入管理システムは、過去の輸出入作業の実績データを記録し、荷主から輸出入作業に関する情報の入力を受け付けて実績データを元に予定作業日程表（以下「スケジュール表」）を生成し、荷主、海貨業者、コンテナヤードオペレータ（ＣＹＯ）、船会社のそれぞれにスケジュール表を提示する。
【００１７】
さらに、このコンテナ輸出入管理システムは、荷主、海貨業者、ＣＹＯ、船会社のそれぞれから輸出入作業の進捗状況や詳細情報の入力を受け付け、それぞれに進捗状況や詳細情報を提示し、作業現場から必要な情報の入力を受け付けて荷主からの情報と合わせて受取証を自動作成し、また、受け付けた作業の進捗状況や詳細情報等に応じてスケジュール表を変更する。
【００１８】
＜構成＞
図１は、本発明の実施の形態に係るコンテナ輸出入管理システムの概略を示す図である。
図１に示すように、コンテナ輸出入管理システムは、共有装置１０、荷主用端末２０、海貨業者用端末３０、ＣＹＯ用端末４０、運送業者用端末５０、船会社用端末６０、携帯入力端末７０、及び、通信回線８０からなる。
【００１９】
共有装置１０は、例えばハードディスクを備えるＷＥＢサーバ及びメールサーバであり、記録部１１、受け付け部１２、作業日程生成部１３、作業日程変更部１４、登録部１５、Ｂ／Ｌ作成部１６、スケジュール表作成部１７、提示部１８、及び、スケジュール表変更部１９からなる。
記録部１１は、例えばハードディスクであり過去の輸出入作業の荷物の概略品名、実績作業日程、荷物の数量を含む実績データ、過去のスケジュール表のデータ、及び、船会社から送られてくる最新の配船スケジュールを記録している。
【００２０】
図２は、記録部１１に記録されている実績データの一例を示す図である。
ここで図２に示す各作業項目の先頭の記号は、左側から順に、数字が作業順位を表し、ローマ字が同時並列処理が可能であることを表している。
例えば、「作業順位（２）」の作業項目は「作業順位（１）」の作業項目を処理した後でないと処理できないことを表し（作業順位（１）〜（５）同様）、「作業順位（６Ａ１）」及び「作業順位（６Ｂ１）」の作業項目は「作業順位（５）」の作業項目の処理以降に同時並列処理が可能であることを表し、「作業順位（６Ａ２）」の作業項目は「作業順位（６Ａ１）」を処理した後でないと処理できないことを表し（作業順位（６Ｂ１）〜（６Ｂ５）同様）、「作業順位（６Ｂ６Ａ１）」及び「作業順位（６Ｂ６Ｂ１）」の作業項目は「作業順位（６Ｂ５）」の作業項目の処理以降に同時並列処理が可能であることを表し、「作業順位（６Ｂ６Ａ２）」の作業項目は「作業順位（６Ｂ６Ａ１）」の作業項目を処理した後でないと処理できないことを表し、「作業順位（６Ａ３／Ｂ６Ｂ２Ａ）」、「作業順位（６Ａ３／Ｂ６Ｂ２Ｂ）」、及び「作業順位（６Ａ３／Ｂ６Ｂ２Ｃ）」の作業項目は「作業順位（６Ａ２）」と「作業順位（６Ｂ６Ｂ１）」の両方の作業項目の処理以降に同時並列処理が可能であることを表している（以下同様）。
【００２１】
受け付け部１２は、通信回線８０を介して、荷主用端末２０、海貨業者用端末３０、ＣＹＯ用端末４０、運送業者用端末５０、船会社用端末６０、及び、携帯入力端末７０から各種情報の入力を受け付ける。
例えば、受け付け部１２は、荷主用端末２０から通信回線８０を介して、輸出作業の場合には、従来のＩ／ＶとＰ／Ｌの記載内容と同等な、１個又は複数のコンテナ毎に荷物の概略品名及び数量を含むインボイス＆パッキングリストデータ（Ｉ／Ｖ＆Ｐ／Ｌデータ）、及び、従来のＳ／Ｉの記載内容と同等なシッピングインストラクションデータ（Ｓ／Ｉデータ）の入力を受け付け、輸入作業の場合には、従来のＢ／ＬとＡ／Ｎの記載内容と同等な、ビル　オブ　レィディング＆アライバル　ノーティスデータ（Ｂ／Ｌ＆Ａ／Ｎデータ）の入力を受を受け付ける。
【００２２】
図３は、受け付け部１２が受け付けるインボイス＆パッキングリストデータの一例を示す図である。
図４は、受け付け部１２が受け付けるシッピングインストラクションデータの一例を示す図である。
また受け付け部１２は、荷主用端末２０、海貨業者用端末３０、ＣＹＯ用端末４０、運送業者用端末５０、及び、船会社用端末６０から、スケジュール表のデータの送信要求、輸出入作業の進捗状況や詳細情報の入力、予定作業日程の変更指示、及び、スケジュール表の変更指示等を受け付ける。
【００２３】
また受け付け部１２は、携帯入力端末７０から、コンテナ番号とシール番号の入力を受け付け、船会社用端末６０からＢ／Ｌ作成の指示を受け付ける。
作業日程生成部１３は、記録部１１に記録された実績データから、受け付け部１２により受け付けられたインボイス＆パッキングリストデータ、又は、ビル　オブ　レィディング＆アライバル　ノーティスデータに含まれる荷物の概略品名に対応する実績データを抽出し、抽出した実績データの実績作業日程に、配船スケジュールと受け付けられたインボイス＆パッキングリストデータ、又は、ビルオブ　レィディング＆アライバル　ノーティスデータに含まれる数量とによる補正を施して、予定作業日程を生成し、記録部１１に記録する。
【００２４】
例えば、図３に示すようなインボイス＆パッキングリストデータ２０１に含まれる荷物の概略品名「洗濯機」に対応する図２に示す実績データ１０１を抽出し、実績データ１０１の示す数が１０００個、インボイス＆パッキングリストデータ２０１に含まれる数が２倍の２０００個なので、実績データ１０１の実績作業日程の実作業に関する部分の経過日数を２倍にし、その他の部分は実績データと同じ経過日数を用いて予定作業日程を生成する。
【００２５】
ここで経過日数とは、作業項目毎に、自身の作業項目の実績日から直前の作業項目の実績日を差し引いた日数である。また、直前の作業項目が複数ある場合には一番遅い実績日を用いて計算する。また、対応する実績データが記録部１１に存在しない場合には、予め記録部１１に初期設定値を記録しておきこれを用いるか、あるいは、使用者に入力を促して初期設定値を入力させる。
【００２６】
また、ここで実作業に関する部分とは、例えば図２中の「（６Ｂ５）空コンテナ着（ＣＹ→荷主）」、「（６Ｂ６Ａ２）バン積め終了（荷主）」、「（８）実コンテナ着（荷主→ＣＹ）」、及び、「（１５）コンテナ積込み終了（ＣＹ）」であり、「（６Ｂ５）空コンテナ着（ＣＹ→荷主）」の経過日数が２日から４日に、「（６Ｂ６Ａ２）バン積め終了（荷主）」の経過日数が３日から６日に、「（８）実コンテナ着（荷主→ＣＹ）」の経過日数が２日から４日になる。
【００２７】
作業日程変更部１４は、受け付け部１２が、荷主用端末２０、海貨業者用端末３０、ＣＹＯ用端末４０、運送業者用端末５０、及び、船会社用端末６０から予定作業日程の変更指示を受け付けると、この変更指示に従って、記録部１１に記録された予定作業日程を変更する。
また作業日程変更部１４は、一部の作業項目が人為的に変更されたり、受け付けられた進捗状況が予定と異なっていた場合には、それ以降の作業日程を生成した時と同様の手順で修正する。
【００２８】
登録部１５は、受け付け部１２が、荷主用端末２０、海貨業者用端末３０、ＣＹＯ用端末４０、運送業者用端末５０、及び、船会社用端末６０から、シッピングインストラクションデータ、又は、進捗状況や詳細情報等の各種のデータや情報の入力を受け付けると、記録部１１に記録された予定作業日程に関連付けて、受け付けた各種のデータや情報を登録する。
【００２９】
図５は、作業日程生成部１３により生成され、登録部１５により進捗状況が登録された予定作業日程の一例を示す図である。
図５に示す予定作業日程は、処理開始の時期が図２に示す実績データ１０１と較べて丁度１ヶ月遅れであり、以降の予定は、実作業に関する部分の経過日数が２倍になっている事により数日のズレが生じている他は、おおよそ１ヶ月遅れである。
【００３０】
Ｂ／Ｌ作成部１６は、受け付け部１２が船会社用端末６０からＢ／Ｌ作成の指示を受けると、受け付け部１２が携帯入力端末７０から受け付けたコンテナ番号、及び、シール番号と、受け付け部１２が荷主用端末２０から受け付けたインボイス＆パッキングリストデータ、及び、シッピングインストラクションデータとに基づいて、これらのデータが記載されたＢ／Ｌを作成し、Ｂ／Ｌを船会社用端末６０へ出力し、Ｂ／Ｌの写しを荷主用端末２０へ出力する。船会社用端末６０へ出力されたＢ／Ｌは、船会社の社印が押される等によりその効力を得て、現物が荷主へ届けられる。
【００３１】
図６は、Ｂ／Ｌ作成部１６により生成されるＢ／Ｌの記載事項を示す図である。
スケジュール表作成部１７は、記録部１１に記録された過去のスケジュール表のデータの予定日及び実績日を、記録部１１に記録された予定作業日程中の予定日及び実績日と入れ替えることにより、スケジュール表を生成してそのデータを記録部１１に記録する。
【００３２】
提示部１８は、受け付け部１２が、荷主用端末２０、海貨業者用端末３０、ＣＹＯ用端末４０、運送業者用端末５０、及び、船会社用端末６０からスケジュール表のデータの送信要求を受け付けると、提示要求を出力した端末に、スケジュール表作成部１７により生成されたスケジュール表のデータを送信して、当該端末にスケジュール表を提示させる。
【００３３】
スケジュール表変更部１９は、作業日程変更部１４により予定作業日程が変更及び修正された場合や、登録部１５により予定作業日程に各種のデータや情報が登録された場合に、記録部１１に記録されたスケジュール表のデータを、生成した時と同様の手順で修正する。
また、スケジュール表変更部１９は、受け付け部１２が、荷主用端末２０、海貨業者用端末３０、ＣＹＯ用端末４０、運送業者用端末５０、及び、船会社用端末６０からスケジュール表の変更指示を受け付けると、受け付けた変更指示に従ってスケジュール表を変更する。
【００３４】
例えば、スケジュール表変更部１９は、提示部１８により端末に提示させたスケジュール表の任意の場所に要注意マーク「※」や文字が記入されたり、記入内容が変更されたスケジュール表のデータを変更指示として受信し、記録部１１に記録されたスケジュール表のデータと入れ替えることにより、スケジュール表を変更する。
【００３５】
荷主用端末２０は、例えばＷＥＢブラウザであり、荷主の元に設置され通信回線８０を介して共有装置１０と接続されるものであり、荷主からインボイス＆パッキングリストデータとシッピングインストラクションデータの入力、ビル　オブ　レィディング＆アライバル　ノーティスデータの入力、予定作業日程の変更指示、及び、スケジュール表の変更指示等を受けて共有装置１０へ送信し、また、荷主からこの荷主のスケジュール表の提示要求を受けて、共有装置１０へ所定Ｉ／Ｖに関係するスケジュール表のデータの送信要求を送信してこのデータを受信し、スケジュール表を荷主に提示する。
【００３６】
図７は、荷主用端末２０に提示される輸出作業のスケジュール表の一例を示す図である。
図７に示すスケジュール表には、図５に示した予定作業日程の記載順に各作業項目が並べられ、各作業項目毎に予定日及び実績日が記載されており、次に処理すべき作業項目にチェックポイントマーク３０１が付され、また、要注意マーク３０２、３０３と共に要注意事項が記入されている。
【００３７】
また図８は、荷主用端末２０に提示される輸入作業のスケジュール表の一例を示す図である。
なお、各作業項目毎にそれぞれの処理に関する詳細データを記録しておき、スケジュール表上の各理項目の位置に、その処理に関する詳細データを表示する画面を開くリンクを張っておいてもよい。
【００３８】
このようにすれば、閲覧者がスケジュール表上の所望の作業項目の記載位置をマウスでクリックする等して作業項目の１つを選択すると、その処理に関する詳細データを表示する画面が開き、閲覧者は容易に所望の作業項目の詳細データを閲覧することができる。
また、荷主が、マークを付けた作業項目の情報だけをリストアップしたり、次に処理すべき作業項目や予定日を過ぎても実施されていない作業項目の情報だけをリストアップしてもよい。
【００３９】
このようにすれば、荷主毎に複数のスケジュール表中の次に処理すべき作業項目の情報や実施が遅れている作業項目がリストアップされるので、各荷主が作業順序を容易に把握することができる。
海貨業者用端末３０は、例えばＷＥＢブラウザであり、海貨業者や海貨・通関業者の元に設置され通信回線８０を介して共有装置１０と接続されるものであり、海貨業者から予定作業日程の変更指示、及び、スケジュール表の変更指示等を受けて共有装置１０へ送信し、また、海貨業者や海貨・通関業者から自社扱いの作業（発注単位）に関係するスケジュール表の提示要求を受けて、共有装置１０へスケジュール表のデータの送信要求を送信してこれを受信し、スケジュール表を海貨業者や海貨・通関業者に提示する。
【００４０】
なお、海貨業者や海貨・通関業者が、自社扱いの全作業の中から、マークを付けた作業項目の情報だけをリストアップしたり、次に処理すべき作業項目や予定日を過ぎても実施されていない作業項目の情報だけをリストアップしてもよい。このようにすれば、海貨業者や海貨・通関業者毎に複数のスケジュール表中の次に処理すべき作業項目の情報や実施が遅れている作業項目がリストアップされるので、各海貨業者や海貨・通関業者が作業順序を容易に把握することができる。
【００４１】
ＣＹＯ用端末４０は、例えばＷＥＢブラウザであり、コンテナヤードオペレータの元に設置され通信回線８０を介して共有装置１０と接続されるものであり、コンテナヤードオペレータから予定作業日程の変更指示、及び、スケジュール表の変更指示等を受けて、共有装置１０へ送信し、またコンテナヤードオペレータから自社扱いの作業（発注単位）に関係するスケジュール表の提示要求を受けて共有装置１０へスケジュール表のデータの送信要求を送信してこれを受信し、スケジュール表をコンテナヤードオペレータに提示する。
【００４２】
なお、コンテナヤードオペレータが、自社扱いの全作業の中から、マークを付けた作業項目の情報だけをリストアップしたり、次に処理すべき作業項目や予定日を過ぎても実施されていない作業項目の情報だけをリストアップしてもよい。このようにすれば、コンテナヤードオペレータ毎に複数のスケジュール表中の次に処理すべき作業項目の情報や実施が遅れている作業項目がリストアップされるので、各コンテナヤードオペレータが作業順序を容易に把握することができる。
【００４３】
運送業者用端末５０は、例えばＷＥＢブラウザであり、運送業者の元に設置され通信回線８０を介して共有装置１０と接続されるものであり、運送業者から予定作業日程の変更指示、及び、スケジュール表の提示要求を受けて共有装置１０へスケジュール表のデータの送信要求を送信してこれを受信し、スケジュール表を運送業者に提示する。
【００４４】
なお、運送業者が、自社扱いの全作業の中から、マークを付けた作業項目の情報だけをリストアップしたり、次に処理すべき作業項目や予定日を過ぎても実施されていない作業項目の情報だけをリストアップしてもよい。
このようにすれば、運送業者毎に複数のスケジュール表中の次に処理すべき作業項目の情報や実施が遅れている作業項目がリストアップされるので、各運送業者が作業順序を容易に把握することができる。
【００４５】
また、運送業者用端末５０は、例えば情報通信機能を備えた携帯電話であり、その表示画面に、コンテナヤードへの立ち入り許可の為の情報を示す２次元バーコードを表示する機能を備え、これをトラック運転手が携帯し、ＣＹＯ用端末４０は、この２次元バーコードを照合する機能を備えてもよい。
現在、トラック運転手が、輸入作業において空コンテナをコンテナヤードから搬出する時や実入りコンテナをコンテナヤードへ搬入する時、及び、輸入作業において実入りコンテナをコンテナヤードから搬出する時には、事前に海貨業者や運送業者が準備した書面を現場でＣＹＯへ提示又は提出することによって、コンテナヤードへの立ち入りが許可されている。その為に、事前に海貨業者や運送業者とＣＹＯとの間で書類のやり取りを行い書面を準備する手間や、トラック運転手が海貨業者や運送業者の元へ書面を取りに行く手間がかかり、また、ＣＹＯでは現場でトラック運転手から提示された書面をその場で目視検査しているので、作業が繁雑であり、正確さにも欠けるという問題点がある。
【００４６】
そこで、事前に海貨業者や運送業者とＣＹＯとの間で行うやり取りを、本発明の実施の形態に係るコンテナ輸出入管理システムにおいて行い、トラック運転手が携帯する端末に、コンテナヤードへの立ち入り許可の為の情報を送信してこの情報を示す２次元バーコードを表示し、ＣＹＯ用端末４０がこの２次元バーコードをコンテナヤードの出入口に設置した２次元バーコードリーダで読み取って照合することにより、上記の問題点を解決することができる。
【００４７】
なお、ここでコンテナヤードへの立ち入り許可の為の情報を、トラック運転手が携帯する運送業者用端末５０からＣＹＯ用端末４０へ伝送する為に、２次元バーコードを用いる例を説明したが、例えば、ブルートゥース等の近距離無線通信や、赤外線通信、超音波通信等の他の非接触伝送を用いてもよいし、ＵＳＢ接続等による接触伝送を用いてもよいし、メモリカード等の記録媒体を用いてもよい。
【００４８】
船会社用端末６０は、例えばＷＥＢブラウザであり、船会社の元に設置され通信回線８０を介して共有装置１０と接続されるものであり、船会社や船会社毎に決まっているコンテナ荷役会社から予定作業日程の変更指示、及び、スケジュール表の変更指示等を受けて共有装置１０へ送信し、また、船会社やコンテナ荷役会社からこの船会社の船に関係するスケジュール表の提示要求を受けて共有装置１０へスケジュール表のデータの送信要求を送信してこれを受信し、スケジュール表を船会社やコンテナ荷役会社に提示する。
【００４９】
なお、船会社が、自社の船に関係する全作業の中から、マークを付けた作業項目の情報だけをリストアップしたり、次に処理すべき作業項目や予定日を過ぎても実施されていない作業項目の情報だけをリストアップしてもよい。
このようにすれば、船会社毎に複数のスケジュール表中の次に処理すべき作業項目の情報や実施が遅れている作業項目がリストアップされるので、各船会社が作業順序を容易に把握することができる。
【００５０】
携帯入力端末７０は、入力機能付きの携帯電話やバーコードリーダを備える専用の携帯通信機器等であり、コンテナのバン積め場所又はコンテナ運送において、コンテナ荷役会社、又は、運送業者の現場作業者により、入力対象のコンテナに記載されたコンテナ番号とシール番号の入力が行なわれる。例えば、現場作業者は携帯入力端末７０の備えるバーコードリーダで、コンテナに貼付されたバーコードを読み取ることによってコンテナ番号とシール番号の入力を行う。
【００５１】
なお、携帯入力端末７０は、一般の携帯電話や通信機能付きＰＤＡ等を用いてもよいが、このような場合には、コンテナ番号とシール番号を送信する際に、暗号化したり情報に冗長性を持たせてチェックする等により、情報の機密性及び正当性を確保する手段を備える事が望ましい。
また、携帯入力端末７０の代わりに、通常のＷＥＢブラウザのような通常の端末を用いてよい。
【００５２】
通信回線８０は、専用電話回線、イントラネット、インターネット等の通信用の回線である。
なお、各端末において、各業者毎に関係するスケジュール表だけを参照させるためには、例えば、受け付け部１２が、荷主用端末２０から、インボイス＆パッキングリストデータとシッピングインストラクションデータの入力、又は、ビルオブ　レィディング＆アライバル　ノーティスデータの入力を受け付ける際に、荷主に対応する荷主識別子、荷主が指定する海貨業者に対応する海貨業者識別子、及び、荷主が指定する船会社に対応する船会社識別子を受け付け、作業日程生成部１３が、生成した予定作業日程毎に、受け付け部１２により受け付けられた荷主識別子、海貨業者識別子、及び、船会社識別子を添付し、また、受け付け部１２が、海貨業者用端末３０から、海貨業者が指定する運送会社に対応する運送会社識別子の入力を受け付け、作業日程生成部１３が、さらに予定作業日程毎に、運送会社識別子を添付し、また、受け付け部１２が、船会社用端末６０から、船会社が指定するコンテナヤードオペレータに対応するコンテナヤードオペレータ識別子の入力を受け付け、作業日程生成部１３が、さらに予定作業日程毎に、コンテナヤードオペレータ識別子を添付し、提示部１８が、荷主毎に当該荷主に対応する荷主識別子が添付されたスケジュール表のデータのみを送信し、海貨業者毎に当該海貨業者に対応する海貨業者識別子が添付されたスケジュール表予定作業日程表のデータのみを送信し、運送会社毎に当該運送会社に対応する運送会社が添付されたスケジュール表のデータのみを送信し、コンテナヤードオペレータ毎に当該コンテナヤードオペレータに対応するコンテナヤードオペレータ識別子が添付されたスケジュール表のデータのみを送信し、船会社毎に当該船会社に対応する船会社識別子が添付されたスケジュール表のデータのみを送信する。
【００５３】
＜動作＞
図９は、本発明の実施の形態に係るコンテナ輸出入管理システムにおける共有装置１０の輸出動作の手順を示す図である。
以下に、共有装置１０の輸出動作の手順について説明する。
（１）受け付け部１２が、各端末からの入力を待つ（ステップＳ１）。
【００５４】
（２）各端末から入力があったら、インボイス＆パッキングリストデータの入力であるか否かを判断する（ステップＳ２）。
（３）インボイス＆パッキングリストデータの入力である場合には、作業日程生成部１３が、記録部１１に記録された実績データから、当該インボイス＆パッキングリストデータに含まれる荷物の概略品名に対応する実績データを抽出する（ステップＳ３）。
【００５５】
（４）作業日程生成部１３が、抽出した実績データの実績作業日程に、当該インボイス＆パッキングリストデータに含まれる数量による補正を施して予定作業日程を生成し、続いてスケジュール表作成部１７が、記録部１１に記録された過去のスケジュール表のデータの予定日及び実績日を予定作業日程中の予定日及び実績日と入れ替えることによりスケジュール表を生成する（ステップＳ４）。
【００５６】
（５）インボイス＆パッキングリストデータの入力でない場合には、スケジュール表のデータの送信要求であるか否かを判断する（ステップＳ５）。
（６）スケジュール表のデータの送信要求である場合には、提示部１８が、スケジュール表作成部１７により生成されたスケジュール表、又は、スケジュール表変更部１９により修正されたスケジュール表のデータを返送して送信要求を出力した端末にスケジュール表を提示させる（ステップＳ６）。
【００５７】
（７）スケジュール表のデータの送信要求でない場合には、シッピングインストラクションデータ、作業の進捗状況や詳細情報の入力、及び、コンテナ番号とシール番号の入力であるか否かを判断する（ステップＳ７）。
（８）シッピングインストラクションデータ、作業の進捗状況や詳細情報の入力、及び、コンテナ番号とシール番号の入力である場合には、登録部１５が、記録部１１に記録された予定作業日程に関連付けて、受け付けたデータや情報を登録し、スケジュール表変更部１９が、この登録に基づいてスケジュール表のデータを修正する（ステップＳ８）。
【００５８】
（９）シッピングインストラクションデータ、作業の進捗状況や詳細情報の入力、コンテナ番号とシール番号の入力でない場合には、予定作業日程の変更指示であるか否かを判断する（ステップＳ９）。
（１０）予定作業日程の変更指示である場合には、作業日程変更部１４が、この変更指示に従って予定作業日程を変更し、スケジュール表変更部１９が、予定作業日程を変更にともないスケジュール表のデータを修正する（ステップＳ１０）。
【００５９】
（１１）予定作業日程の変更指示でない場合には、スケジュール表の変更指示であるか否かを判断する（ステップＳ１１）。
（１２）スケジュール表の変更指示である場合には、スケジュール表変更部１９が、受け付けた変更指示に従ってスケジュール表を変更する（ステップＳ１２）。
【００６０】
（１３）スケジュール表の変更指示でない場合には、Ｂ／Ｌ作成の指示であるか否かを判断する（ステップＳ１３）。
（１４）Ｂ／Ｌ作成の指示である場合には、Ｂ／Ｌ作成部１６が、インボイス＆パッキングリストデータ、シッピングインストラクションデータ、コンテナ番号、及び、シール番号に基づいて、これらのデータが記載されたＢ／Ｌを作成する（ステップＳ１４）。
【００６１】
（１５）以上の何れの入力でもない場合、及び、それぞれの処理を済ませた場合には、各端末からの入力待ちに戻る。
図１０は、本発明の実施の形態に係るコンテナ輸出入管理システムにおける共有装置１０の輸入動作の手順を示す図である。
以下に、共有装置１０の輸入動作の手順について説明する。
【００６２】
なお、以下の輸入動作の手順の説明において、図９に示した輸出動作の手順と同様のステップには同一番号を付し、その説明を省略する。
（１）輸出動作の手順（１）と同じ（ステップＳ１）。
（２）各端末から入力があったら、Ｂ／Ｌ＆Ａ／Ｎの入力であるか否かを判断する（ステップＳ２１）。
【００６３】
（３）Ｂ／Ｌ＆Ａ／Ｎの入力である場合には、輸出動作の手順（３）と同じ（ステップＳ３）。
（４）輸出動作の手順（４）と同じ（ステップＳ４）。
（５）Ｂ／Ｌ＆Ａ／Ｎの入力でない場合には、輸出動作の手順（５）と同じ（ステップＳ５）。
【００６４】
（６）輸出動作の手順（６）と同じ（ステップＳ６）。
（７）スケジュール表のデータの送信要求でない場合には、作業の進捗状況や詳細情報の入力であるか否かを判断する（ステップＳ２２）。
（８）進捗状況や詳細情報の入力である場合には、輸出動作の手順（８）と同じ（ステップＳ８）。
【００６５】
（９）作業の進捗状況や詳細情報の入力でない場合には、輸出動作の手順（９）と同じ（ステップＳ９）。
（１０）輸出動作の手順（１０）と同じ（ステップＳ１０）。
（１１）輸出動作の手順（１１）と同じ（ステップＳ１１）。
（１２）輸出動作の手順（１２）と同じ（ステップＳ１２）。
【００６６】
（１３）以上の何れの入力でもない場合、及び、それぞれの処理を済ませた場合には、各端末からの入力待ちに戻る。
以上のように、本発明の実施の形態によれば、各業者において、前工程の業者の処理が完結しなくても、他業者の進捗状況や詳細情報が得られ、前もってスケジュールを調整したり、前工程のスケジュール変更に対応して自工程のスケジュールを変更することができ、効率的な作業を行うことが容易である。
【００６７】
なお、コンピュータに本実施の形態のような動作を実行させることができるプログラムがコンピュータ読み取り可能な記録媒体に記録され、この記録媒体が流通し取り引きの対象となりうる。また、当該プログラムは、例えばネットワーク等を介して流通し、取り引きの対象となりうる。
ここでコンピュータ読み取り可能な記録媒体とは、例えば、フレキシブルディスク、ＣＤ、ＭＯ、ＤＶＤ、メモリカード等の着脱可能な記録媒体、及び、ハードディスク、半導体メモリ等の固定記録媒体等であり、特に限定されるものではない。
【００６８】
【発明の効果】
本発明に係るコンテナ輸出入管理装置は、港湾運輸におけるコンテナ輸出入の作業を管理するコンテナ輸出入管理装置におけるコンテナ輸出入管理方法であって、前記コンテナ輸出入管理装置は、過去の輸出入作業の荷物の種類、及び、実績作業日程を含む実績データを記録している記録手段を備え、当該コンテナ輸出入管理方法は、荷主から１個又は複数のコンテナ毎に荷物の種類を含む輸出入作業に関する作業情報の入力を受け付ける受け付け手段と、記録手段により記録された実績データから受け付け手段により受け付けられた作業情報に含まれる荷物の種類に対応する実績データを抽出し抽出した実績データに基づいて予定作業日程表を生成する作業日程表生成手段と、荷主、海貨業者、及び、船会社のそれぞれの元に設置された端末に生成された予定作業日程表を提示させるべく当該予定作業日程表のデータを送信する提示手段とを含み、前記受け付け手段は、さらに、前記各端末により、荷主、海貨業者、コンテナヤードオペレータ、及び、船会社のそれぞれから輸出入作業の進捗状況のデータ入力を受け付け、前記提示手段は、さらに、前記各端末に予定作業日程表のデータを送信する際に進捗状況を予定作業日程表と共に提示させるべく当該進捗状況のデータを予定作業日程表のデータと関連付けて送付することを特徴とする。
【００６９】
また、港湾運輸におけるコンテナ輸出入の作業を管理するコンピュータを用いて構築されたコンテナ輸出入管理装置において、前記コンテナ輸出入管理装置は過去の輸出入作業の荷物の種類、及び、実績作業日程を含む実績データを記録している記録手段を備え、本発明に係るコンテナ輸出入管理プログラムは、前記コンピュータを、荷主から１個又は複数のコンテナ毎に荷物の種類を含む輸出入作業に関する作業情報の入力を受け付ける受け付け手段と、記録手段により記録された実績データから受け付け手段により受け付けられた作業情報に含まれる荷物の種類に対応する実績データを抽出し抽出した実績データに基づいて予定作業日程表を生成する作業日程表生成手段と、荷主、海貨業者、及び、船会社のそれぞれの元に設置された端末に生成された予定作業日程表を提示させるべく当該予定作業日程表のデータを送信する提示手段として機能させ、前記受け付け手段は、さらに、前記各端末により、荷主、海貨業者、コンテナヤードオペレータ、及び、船会社のそれぞれから輸出入作業の進捗状況のデータ入力を受け付け、前記提示手段は、さらに、前記各端末に予定作業日程表のデータを送信する際に進捗状況を予定作業日程表と共に提示させるべく当該進捗状況のデータを予定作業日程表のデータと関連付けて送付することを特徴とする。
【００７０】
また、本発明に係るコンテナ輸出入管理方法は、港湾運輸におけるコンテナ輸出入の作業を管理するコンテナ輸出入管理装置におけるコンテナ輸出入管理方法であって、前記コンテナ輸出入管理装置は、過去の輸出入作業の荷物の種類、及び、実績作業日程を含む実績データを記録している記録手段を備え、当該コンテナ輸出入管理方法は、荷主から１個又は複数のコンテナ毎に荷物の種類を含む輸出入作業に関する作業情報の入力を受け付ける受け付け手段と、記録手段により記録された実績データから受け付け手段により受け付けられた作業情報に含まれる荷物の種類に対応する実績データを抽出し抽出した実績データに基づいて予定作業日程表を生成する作業日程表生成手段と、荷主、海貨業者、及び、船会社のそれぞれの元に設置された端末に生成された予定作業日程表を提示させるべく当該予定作業日程表のデータを送信する提示手段とを含み、前記受け付け手段は、さらに、前記各端末により、荷主、海貨業者、コンテナヤードオペレータ、及び、船会社のそれぞれから輸出入作業の進捗状況のデータ入力を受け付け、前記提示手段は、さらに、前記各端末に予定作業日程表のデータを送信する際に進捗状況を予定作業日程表と共に提示させるべく当該進捗状況のデータを予定作業日程表のデータと関連付けて送付することを特徴とする。
【００７１】
これらによって、荷主、海貨業者、及び、船会社のそれぞれが、作業開始直後から、それぞれの元に設置された端末を用いて予定作業日程表を参照することができ、また、荷主、海貨業者、コンテナヤードオペレータ、及び、船会社のそれぞれが進捗状況を入力することにより、予定作業日程表と共に進捗状況を参照することができる。
【００７２】
従って、各業者において、前工程の業者の処理が完結しなくても、他業者の進捗状況が得られ、前もってスケジュールを調整したり、前工程のスケジュール変更に対応して自工程のスケジュールを変更することができ、効率的な作業を行うことが容易となる。
また、コンテナ輸出入管理装置において、前記受け付け手段が入力を受け付ける作業情報は、荷主に対応する荷主識別子、荷主が指定する海貨業者に対応する海貨業者識別子、及び、荷主が指定する船会社に対応する船会社識別子を含み、前記作業日程表生成手段は生成した予定作業日程表毎に、受け付け手段により受け付けられた作業情報に含まれる荷主識別子、海貨業者識別子、及び、船会社識別子を添付し、前記提示手段は、荷主毎に当該荷主に対応する荷主識別子が添付された予定作業日程表のデータのみを送信し、海貨業者毎に当該海貨業者に対応する海貨業者識別子が添付された予定作業日程表のデータのみを送信し、船会社毎に当該船会社に対応する船会社識別子が添付された予定作業日程表のデータのみを送信することを特徴とすることもできる。
【００７３】
これによって、各端末において、荷主、海貨業者、及び、船会社毎に、それぞれに関係するスケジュール表だけを参照させることができる。
また、コンテナ輸出入管理装置において、前記受け付け手段は、さらに、海貨業者から海貨業者が指定する運送会社に対応する運送会社識別子の入力を受け付け、前記作業日程表生成手段は生成した予定作業日程表毎に受け付け手段により受け付けられた運送会社識別子を添付し、前記提示手段は、さらに、運送会社の元に設置された端末に生成された予定作業日程表を提示させるべく運送会社毎に当該運送会社に対応する運送会社が添付された予定作業日程表のデータのみを送信し、前記受け付け手段は、さらに、前記運送会社の元に設置された端末により運送会社から輸出入作業における運送作業の進捗状況のデータ入力を受け付けることを特徴とすることもできる。
【００７４】
これによって、さらに、運送会社の元に設置された端末において、運送会社毎に、それぞれに関係するスケジュール表だけを参照させることができる。
また、コンテナ輸出入管理装置において、前記記録手段が記録している実績データは荷物の数量を含み、前記受け付け手段が入力を受け付ける作業情報は荷物の数量を含み、前記作業日程表生成手段は抽出した実績データの実績作業日程に受け付けられた作業情報に含まれる数量による補正を施して予定作業日程表を生成することを特徴とすることもできる。
【００７５】
これによって、数量による補正を施して予定作業日程表を生成することができる。
従って、より正確に予定作業日程表を生成することができる。
また、コンテナ輸出入管理装置において、前記受け付け手段は、さらに、前記各端末から前記予定作業日程を変更する変更指示を受け付け、前記コンテナ輸出入管理装置は、さらに、受け付けられた変更指示に従って前記予定作業日程を変更する作業日程変更手段を備えることを特徴とすることもできる。
【００７６】
これによって、荷主、海貨業者、及び、船会社のそれぞれが、それぞれの元に設置された端末を用いて予定作業日程を変更することができる。
従って、各業者において、前工程の業者の処理が完結しなくても、他業者の進捗状況や自己都合に応じて、前もって自工程のスケジュールを変更することができ、効率的な作業を行うことが容易となる。
【００７７】
また、コンテナ輸出入管理装置において、前記実績データは、複数の作業項目、作業項目毎の実績日、及び、作業項目毎の処理の作業順位を含み、前記受け付け手段が受け付ける変更指示は、所定の作業項目の予定日を変更するか、又は、所定の作業項目において予定日と異なる日付の実績日を登録するものであり、前記作業日程変更手段は、変更指示がなされた所定の作業項目よりも作業順位が低い作業項目の全ての予定日を作業順位が高い順に変更指示による変更日数分だけ変更することを特徴とすることもできる。
【００７８】
これによって、予定日の変更、又は、予定通り実績されなかった場合に、以後の予定日を変更日数分だけ変更することができる。
従って、敏速にスケジュールを変更することができ、効率的な作業を行うことが容易となる。
また、コンテナ輸出入管理装置において、前記受け付け手段は、さらに、入力端末からの、コンテナ番号の入力、及び、シール番号の入力、及び、コンテナへのバン積め日時情報を受け付け、前記コンテナ輸出入管理装置は、さらに、受け付けられた作業情報、コンテナ番号、シール番号、及び、コンテナへのバン積め日時情報に基づいてこれらの情報を記載に含むコンテナ受取証を作成する受取証作成手段を備え、前記提示手段は、さらに、コンテナ番号、シール番号、及び、コンテナへのバン積め日時情報を予定作業日程表のデータと関連付けて送付することを特徴とすることもできる。
【００７９】
これによって、携帯入力端末から、コンテナ番号、及び、シール番号の入力を受け付けることができ、これらに基づいて、コンテナ受取証を自動作成することができる。
従って、コンテナ受取証を容易に作成できる。
また、コンテナ輸出入管理装置において、前記記録手段は、さらに、作業項目毎にそれぞれの処理に関する詳細データを記録し、前記受け付け手段は、さらに、前記各端末のいずれかから作業項目の指定を受け付け、前記提示手段は、さらに、指定された作業項目の詳細データを前記記録手段から読み出して返信することを特徴とすることもできる。
【００８０】
これによって、指定された作業項目の詳細データを返信することができる。
従って、荷主、海貨業者、及び、船会社のそれぞれが、それぞれの元に設置された端末を用いて、作業項目の詳細データを閲覧することができる。
また、前記コンテナ輸出入管理装置は、さらに、マークを付けられた作業項目、次に処理すべき作業項目、又は、予定日を過ぎても実施日が入力されていない作業項目のリストを生成するリスト生成手段を備え、前記提示手段は、さらに、前記各端末へリスト生成手段により生成されたリストをへ提示させるべく当該リストのデータを送信することを特徴とすることもできる。
【００８１】
これによって、マークを付けられた作業項目、次に処理すべき作業項目、又は、予定日を過ぎても実施日が入力されていない作業項目のリストを生成して、そのデータを送信することができる。
従って、荷主、海貨業者、及び、船会社のそれぞれが、それぞれの元に設置された端末を用いて、注意を要する作業項目のリストを閲覧することができる。
【図面の簡単な説明】
【図１】本発明の実施の形態に係るコンテナ輸出入管理システムの概略を示す図である。
【図２】記録部１１に記録されている実績データの一例を示す図である。
【図３】受け付け部１２が受け付けるインボイス＆パッキングリストデータの一例を示す図である。
【図４】受け付け部１２が受け付けるシッピングインストラクションデータの一例を示す図である。
【図５】作業日程生成部１３により生成され、登録部１５により進捗状況が登録された予定作業日程の一例を示す図である。
【図６】Ｂ／Ｌ作成部１６により生成されるＢ／Ｌの一例を示す図である。
【図７】荷主用端末２０に提示されるスケジュール表を示す図である。
【図８】荷主用端末２０に提示される輸入作業のスケジュール表の一例を示す図である。
【図９】本発明の実施の形態に係るコンテナ輸出入管理システムにおける共有装置１０の輸出動作の手順を示す図である。
【図１０】本発明の実施の形態に係るコンテナ輸出入管理システムにおける共有装置１０の輸入動作の手順を示す図である。
【符号の説明】
１０　　共有装置
１１　　実績データ記録部
１２　　受け付け部
１３　　作業日程生成部
１４　　作業日程変更部
１５　　登録部
１６　　Ｂ／Ｌ作成部
１７　　スケジュール表作成部
１８　　提示部
１９　　スケジュール表変更部
２０　　荷主用端末
３０　　海貨業者用端末
４０　　ＣＹＯ用端末
５０　　運送業者用端末
６０　　船会社用端末
７０　　携帯入力端末
８０　　通信回線
【図１】
2004123347.tif 000003
【図２】
2004123347.tif 000004
【図３】
2004123347.tif 000005
【図４】
2004123347.tif 000006
【図５】
2004123347.tif 000007
【図６】
2004123347.tif 000008
【図７】
2004123347.tif 000009
【図８】
2004123347.tif 000010
【図９】
2004123347.tif 000011
【図１０】
2004123347.tif 000012